【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
通信ネットワーク壁パネルであって、
１つ以上のユーザ・デバイスに接続するための１つ以上のユーザ側通信接続部と、
１つ以上のネットワーク側通信接続部であって、該ネットワーク側通信接続部の少なくとも１つは、前記ユーザ側通信接続部の少なくとも１つに対応する、ネットワーク側通信接続部と、
ネットワーク・ポート識別コンポーネントであって、これに関連したネットワーク・ポート識別アドレスを有する、ネットワーク・ポート識別コンポーネントと、
を備えている、通信ネットワーク壁パネル。
【請求項２】
請求項１記載の通信ネットワーク壁パネルにおいて、前記ユーザ・デバイスは、受電デバイスである、通信ネットワーク壁パネル。
【請求項３】
請求項２記載の通信ネットワーク壁パネルであって、更に、前記ネットワーク・ポート識別コンポーネントおよび前記受電デバイスに電力を供給するように構成された電力管理コンポーネントを備えている、通信ネットワーク壁パネル。
【請求項４】
請求項１記載の通信ネットワーク壁パネルであって、更に熱消散コンポーネントを備えている、通信ネットワーク壁パネル。
【請求項５】
請求項４記載の通信ネットワーク壁パネルにおいて、前記熱消散コンポーネントは、前記電力管理コンポーネントから、前記１つ以上のユーザ側通信接続部を収容するユーザ側パネルまで延在する導電性部材である、通信ネットワーク壁パネル。
【請求項６】
請求項３記載の通信ネットワーク壁パネルにおいて、前記電力管理コンポーネントは、前記ユーザ側通信接続部および前記ネットワーク側通信接続部の一方または双方から電力を受け取り、前記ネットワーク・ポート識別コンポーネントによる使用のために前記電力を変換する、ＤＣ−ＤＣ電力変換器を備えている、通信ネットワーク壁パネル。
【請求項７】
請求項１記載の通信ネットワーク壁パネルであって、更に、前記ユーザ側通信接続部の１つ以上と、前記１つ以上のネットワーク側通信接続部の対応するものとの間におけるデータ流を可能化または不可能化する、アドレス可能なスイッチを備えている、通信ネットワーク壁パネル。
【請求項８】
請求項１記載のネットワーク壁パネルにおいて、前記ユーザ・デバイスは、受電デバイスではない、ネットワーク壁パネル。
【請求項９】
請求項１記載のネットワーク壁パネルであって、更に、前記ネットワーク壁パネルの設置、監視、および制御を容易にするための１つ以上の光インディケータを備えている、ネットワーク壁パネル。
【請求項１０】
請求項１記載のネットワーク壁パネルにおいて、前記ネットワーク側通信接続部は少なくとも２つあり、前記ネットワーク側通信接続部のうち主接続部は主ネットワークに接続されており、前記ネットワーク側接続部のうちの副接続部は、副ネットワークに接続されており、前記ネットワーク壁パネルは、更に、前記主ネットワークに関連する通信問題の検出時に、前記ユーザ側通信接続部の少なくとも１つからの通信についての前記主ネットワークから前記副ネットワークへのスイッチングを可能にするスイッチを備えている、ネットワーク壁パネル。
【請求項１１】
ネットワーク・エレメントの物理位置全体においてネットワーク接続部を管理するシステムであって、
ルータと、
前記ルータと通信するように構成されたネットワーク管理プログラムと、前記ルータと通信状態にある複数のネットワーク壁パネルであって、該ネットワーク壁パネルは、ユーザ側通信接続部と、ネットワーク側通信接続部とを備えており、前記複数のネットワーク壁パネルは、前記ネットワーク・エレメントの複数の壁パネル物理位置に設けられており、更に、壁パネル識別アドレスが関連する電子壁パネル識別コンポーネントを備えており、前記壁パネル識別コンポーネントが、前記識別アドレスによって、前記ネットワーク管理プログラムからの問い合わせに応答する、ネットワーク壁パネルと、
前記ルータと通信状態にあるネットワーク管理データベースであって、該ネットワーク管理データベースは、前記複数の壁パネル物理位置を、前記電子壁パネル識別コンポーネントと関連した前記識別アドレスとリンクするデータを収容する、ネットワーク管理データベースと、
を備えている、システム。
【請求項１２】
請求項１１記載のシステムにおいて、前記識別アドレスは、メディア・アクセス制御アドレスであり、前記電子壁パネル識別コンポーネントは、メディア・アクセス制御チップである、システム。
【請求項１３】
請求項１１記載のシステムであって、更に、前記ネットワーク壁パネルの前記ユーザ側通信接続部に接続された複数のボイス・オーバー・インターネット・プロトコル電話機を備えており、該ボイス・オーバー・インターネット・プロトコル電話機が、緊急通話を行うように構成された、システム。
【請求項１４】
請求項１３記載のシステムにおいて、前記ネットワーク管理プログラムは、前記ボイス・オーバー・インターネット・プロトコル電話機が接続された前記ネットワーク壁パネルの電子壁パネル識別コンポーネントに関連した識別アドレスと関連する前記壁パネル物理位置を、外部緊急時供給業者に供給することにより、前記ボイス・オーバー・インターネット・プロトコル電話機の１つからの緊急コールに応答するように構成された、システム。
【請求項１５】
通信ネットワークを設置する方法であって、
複数の壁ジャック物理位置に、複数のネットワーク壁ジャックを設置するステップであって、前記ネットワーク壁ジャックが、ユーザ側接続部とネットワーク側接続部と、壁ジャック識別アドレスが関連した電子壁ジャック識別コンポーネントとを備える、ステップと、
前記壁ジャック物理位置に関する情報を、前記壁ジャック識別アドレスと関連付けるステップと、
前記壁ジャック物理位置情報および前記関連付けた壁ジャック識別アドレスを記録するステップと、
前記通信ネットワークにとってアクセス可能なデータベースに、前記壁ジャック物理位置情報および前記関連付けた壁ジャック識別アドレスを格納するステップと、
を備えている、方法。
【請求項１６】
請求項１５記載の方法において、前記壁ジャック物理位置情報および前記関連付けた壁ジャック識別アドレスを格納するステップは、前記壁ジャック物理位置情報および前記関連付けた壁ジャック識別アドレスを、前記通信システムにおける前記壁ジャックの上流側にあるルータ内に常駐するＥ９１１アプリケーション・プログラムのデータベースに格納することを含む、方法。
【請求項１７】
請求項１５記載の方法において、前記壁ジャック物理位置情報および前記関連付けた壁ジャック識別アドレスを記録するステップは、前記壁ジャック物理位置情報および前記壁ジャック識別アドレスを試験機器に記録することを含む、方法。
【請求項１８】
請求項１５記載の方法において、前記壁ジャック物理位置情報および前記関連付けた壁ジャック識別アドレスを記録するステップは、前記壁ジャック物理位置情報および前記壁ジャック識別アドレスをパーソナル・コンピュータに記録することを含む、方法。
【請求項１９】
請求項１５記載の方法であって、更に、前記ネットワークのルータ内に緊急通話管理システムを設けるステップを含み、前記緊急通話管理システムが前記データベースにアクセスするように構成された。方法。
【請求項２０】
請求項１５記載の方法であって、更に、設置命令を格納し、該設置命令を通信ネットワーク・インストーラに供給するステップを含み、前記命令が、前記通信ネットワーク・インストーラに、前記壁ジャック物理位置情報を前記壁ジャック識別アドレスとどのように関連付けるか知らせる、方法。
【請求項２１】
請求項２０記載の方法において、前記設置命令を格納するステップは、前記設置命令を、前記ネットワーク壁ジャック内に設けられているメモリに格納することを含む、方法。
【請求項２２】
請求項２０記載の方法において、前記設置命令を格納するステップは、前記設置命令を、設置試験機器内に設けられているメモリに格納することを含む、方法。
【請求項２３】
請求項２０記載の方法において、前記設置命令を格納するステップは、前記設置命令を、パーソナル・コンピュータ内に設けられているメモリに格納することを含む、方法。
【請求項２４】
請求項１５記載の方法において、前記壁ジャック物理位置情報および前記関連付けた壁ジャック識別アドレスを記録するステップは、前記ネットワーク壁ジャックの設置中に試験機器内に前記壁ジャック物理位置情報および前記関連付けた壁ジャック識別アドレスを記録し、前記壁ジャック物理位置情報および前記関連付けた壁ジャック識別アドレスを前記データベースにアップロードすることを含む、方法。
【請求項２５】
請求項１５記載の方法であって、更に、前記ネットワーク壁ジャック上に設けられた光インディケータによって、前記ネットワーク壁ジャックの設置ステータスを目視可能に示すステップを含む、方法。
【請求項２６】
通信ネットワークにおいてセキュリティを提供する方法であって、
前記ネットワークにおける物理位置に、複数のネットワーク壁ジャックを設けるステップであって、前記ネットワーク壁ジャックが、ネットワーク側コネクタおよびユーザ側コネクタを備えており、識別アドレスを内部に格納してある電子識別モジュールを有する、ステップと、
前記ネットワーク壁ジャックの前記識別アドレスを、前記ネットワーク壁ジャックを設けた前記物理位置と関連付けるステップと、
少なくとも１つのネットワーク・ルータを用いて、前記ネットワーク壁ジャックへデータを、そして前記ネットワーク壁ジャックからデータを送るステップと、
承認された物理位置と関連付けられた識別アドレスを有するネットワーク壁ジャックによって、前記通信ネットワークへのアクセスを制限することにより、前記物理位置の所定のもののみによる前記通信ネットワーク・アクセスを許可するステップと、
を備えている、方法。
【請求項２７】
請求項２６記載の方法であって、一日のうち特定の時間に、前記物理位置のうち所定のものによる前記通信ネットワークへのアクセスを行わせるステップを含む、方法。
【請求項２８】
通信ネットワークを文書化するシステムであって、
ネットワーク管理プログラムを実行するネットワーク管理コンピュータと、
前記ネットワーク管理コンピュータに接続されたルータと、
前記ルータに接続された複数のネットワーク壁ジャックであって、該ネットワーク壁ジャックは、前記ルータへの接続のためのネットワーク側コネクタと、ユーザ・デバイスへの接続のためのユーザ側コネクタとを備えており、更に、識別コードが関連した識別電子回路を備えている、ネットワーク壁ジャックと、
ネットワーク管理データベースと、
を備えており、
前記ネットワーク管理コンピュータは、前記ルータを通じて前記ネットワーク壁ジャックに問い合わせるように構成されており、前記ネットワーク壁ジャックの各々は、その関連した識別コードで前記問い合わせに応答するように構成された、システム。
【請求項２９】
請求項２８記載のシステムにおいて、前記ネットワーク壁ジャックの各々は、前記ネットワーク壁ジャックの各々に接続された前記ユーザ・デバイスに関連するユーザ・デバイス識別コードで、前記問い合わせに応答するように構成された、システム。
【請求項３０】
請求項２９記載のシステムにおいて、前記ネットワーク管理データベースは、前記ユーザ・デバイス識別コードを、ネットワーク一覧における前記ネットワーク壁ジャックの各々に対応する物理位置情報とまとめるように構成された、システム。
【請求項３１】
通信パッチ・パネルであって、
前記通信パッチ・パネルから下流のネットワーク・コンポーネントからデータ信号を受け入れ、前記下流のネットワーク・コンポーネントにデータ信号を送る複数の下流側ネットワーク・ポートと、
前記通信パッチ・パネルの上流のネットワーク・コンポーネントからデータ信号を受け入れ、前記上流のネットワーク・コンポーネントへデータ信号を送る複数の上流側ネットワーク・ポートであって、該上流側ネットワーク・ポートの各々は、前記上流側ネットワーク・ポートと前記下流側ネットワーク・ポートとの間でデータ信号を送信して上流−下流ポート対を形成するために、前記下流側ネットワーク・ポートの対応する１つに接続されている、上流側ネットワーク・ポートと、
複数のポート識別コンポーネントであって、該ポート識別コンポーネントの各々は、これに関連したポート識別アドレスを有し、前記ポート識別コンポーネントの各々は、前記上流−下流ポート対の１つと関連付けられている、ポート識別コンポーネントと、
を備えている、通信パッチ・パネル。
【請求項３２】
請求項３１記載の通信パッチ・パネルにおいて、前記ポート識別コンポーネントは、ネットワークにおける前記通信パッチ・パネルの上流または下流に位置するネットワーク・コンポーネントに前記ポート識別アドレスを送るように構成された、通信パッチ・パネル。
【請求項３３】
請求項３１記載の通信パッチ・パネルにおいて、前記上流−下流ポート対の各々およびその関連したポート識別コンポーネントは、アクティブ・パッチ・パネル・ジャックであり、前記通信パネル・パッチは、更に、前記パッチ・パネルの複数の前記ポート識別コンポーネントに第１電圧の電力を供給する電力変換器を備えており、前記アクティブ・パッチ・パネル・ジャックの１つは、給電機器から第２電圧の電力を受け入れ、該第２電圧の前記電力を前記電力変換器に送る電力受容パッチ・パネル・ジャックである、通信パッチ・パネル。
【請求項３４】
請求項３３記載の通信パッチ・パネルであって、更に、前記上流側ネットワーク・ポートの各々と関連する少なくとも１つの光インディケータを備えており、該少なくとも１つの光インディケータは、前記対応する上流側ネットワーク・ポートのネットワーク・ステータスを示す、通信パッチ・パネル。
【請求項３５】
請求項３３記載の通信パッチ・パネルであって、更に、前記下流側ネットワーク・ポートの各々と関連する少なくとも１つの光インディケータを備えており、該少なくとも１つの光インディケータは、前記対応する下流側ネットワーク・ポートのネットワーク・ステータスを示す、通信パッチ・パネル。
【請求項３６】
請求項３３記載の通信パッチ・パネルであって、更に、前記上流側ネットワーク・ポートの各々と関連する少なくとも１つの上流側光インディケータと、前記下流側ネットワーク・ポートの各々と関連する少なくとも１つの下流側光インディケータとを備えており、該光インディケータは、それらの対応するネットワーク・ポートのネットワーク・ステータスを示す、通信パッチ・パネル。
【請求項３７】
請求項３３記載の通信パッチ・パネルであって、更に、前記ネットワーク・ポートの少なくとも１つと関連した少なくとも１つの遠隔アドレス可能なネットワーク・ポート・スイッチを備えており、少なくとも１つのネットワーク・ポートを介して、通信を可能化または不可能化するように、前記遠隔アドレス可能なネットワーク・ポート・スイッチを遠隔から制御する、通信パッチ・パネル。
【請求項３８】
通信システムであって、
複数のネットワーク壁ジャックであって、各々、ユーザ側通信接続部と、ネットワーク側通信接続部と、前記ネットワーク壁ジャックに対応する壁ジャック識別情報を格納する識別モジュールとを備えている、ネットワーク壁ジャックと、
通信ケーブルを通じて前記複数のネットワーク壁ジャックに接続されたネットワーク機器と、
ネットワーク管理プログラムを実行し、前記ネットワーク機器に接続された、ネットワーク管理システムと、
前記ネットワーク管理プログラムによる使用のために情報を格納するデータベースと、
を備えている、通信システム。
【請求項３９】
請求項３８記載のシステムにおいて、前記ネットワーク管理プログラムは、前記通信ネットワーク全体にわたって問い合わせ信号を送信するように構成された、システム。
【請求項４０】
請求項３９記載のシステムにおいて、前記ネットワーク壁ジャックの前記識別モジュールは、前記識別情報で前記問い合わせ信号に応答するように構成された、システム。
【請求項４１】
請求項３９記載のシステムにおいて、前記通信ネットワークは、前記複数のネットワーク壁ジャックのうちの１つ以上のものの前記ユーザ側通信接続部に接続されたユーザ・デバイスを備えており、前記ネットワーク壁ジャックは、前記壁ジャック識別情報と、前記ネットワーク壁ジャックに接続された前記ユーザ・デバイスに関連する識別情報とで、前記問い合わせ信号に応答するように構成された、システム。
【請求項４２】
請求項４１記載のシステムにおいて、前記データベースは、前記ネットワーク壁ジャックの物理位置に対応する物理位置情報を収容しており、ネットワーク管理プログラムは、前記壁ジャック識別情報と、前記ネットワーク壁ジャックに接続された前記ユーザ・デバイスに関連する前記識別情報とを受け入れ、前記壁ジャック識別情報を、個々のネットワーク壁ジャックに接続された前記ユーザ・デバイスに関連する前記識別情報と関連付けることによって、ネットワーク一覧を構築するように構成された、システム。
【請求項４３】
請求項４２記載のシステムにおいて、前記ネットワーク一覧は、複数のエントリを備えており、該エントリの各々は、前記ネットワーク壁ジャックの物理位置に対応する前記物理位置情報を備えており、更に、個々の壁ジャックに接続された前記ユーザ・デバイスに関連する前記識別情報を備えている、システム。
【請求項４４】
請求項４２記載のシステムにおいて、前記ユーザ・デバイスに関連する前記識別情報は、前記ユーザ・デバイスに関連するメディア・アクセス制御アドレスを含む、システム。
【請求項４５】
請求項３８記載のシステムにおいて、前記ネットワーク壁ジャックの少なくとも１つは、前記ネットワーク壁ジャックのうちの別の１つに水平ケーブルによって接続された、システム。
【請求項４６】
請求項３８記載のシステムにおいて、前記ネットワーク機器は、内部に少なくとも１つのパッチ・パネル・アクティブ・ジャックが設けられている少なくとも１つのネットワーク・パッチ・パネルを備えている、システム。
【請求項４７】
請求項４６記載のシステムにおいて、前記少なくとも１つのパッチ・パネル・アクティブジャックは、ネットワーク・ケーブルを通じて、前記ネットワーク壁ジャックの少なくとも１つに接続された、システム。
【請求項４８】
請求項４６記載のシステムにおいて、前記ネットワーク機器は、第１および第２ネットワーク・パッチ・パネルである少なくとも２つのネットワーク・パッチ・パネルを備えており、該少なくとも２つのネットワーク・パッチ・パネルの各々は、内部に設けられた少なくとも１つのパッチ・パネル・アクティブ・ジャックを備えており、前記第１ネットワーク・パッチ・パネルの前記少なくとも１つのパッチ・パネル・アクティブ・ジャックは、ネットワーク・ケーブルを通じて、前記第２ネットワーク・パッチ・パネルの前記少なくとも１つのパッチ・パネル・アクティブ・ジャックに接続された、システム。
【請求項４９】
請求項３８記載のシステムにおいて、前記ネットワーク機器は、ルータを備えている、システム。
【請求項５０】
通信システムであって、
通信サービス提供業者への少なくとも１つの上流側接続部と、少なくとも１つの広帯域ルータ下流側接続部とを備えている、少なくとも１つの広帯域ルータと、
前記広帯域ルータ下流側接続部への少なくとも１つの上流側接続部と、少なくとも１つのパッチ・パネル下流側接続部とを備えている、少なくとも１つのパッチ・パネルであって、該パッチ・パネルの前記接続部が、パッチ・パネル・アクティブ・ジャックを介して形成された、少なくとも１つのパッチ・パネルと、
少なくとも１つのユーザ・ジャックであって、該ユーザ・ジャックは、前記パッチ・パネル下流側接続部への上流側接続部と、少なくとも１つのユーザ・デバイスへの下流側接続部とを有し、前記パッチ・パネルへの前記上流側接続部と、前記少なくとも１つのユーザ・デバイスへの前記下流側接続部が、ユーザ・アクティブ・ジャックを介して形成された、ユーザ・ジャックと、
を備えている、通信システム。
【請求項５１】
請求項５０記載の通信システムにおいて、前記システムは、多重住居ユニット内に展開され、前記少なくとも１つのユーザ・ジャックは、ユーザの住宅内に配置された、通信システム。
【請求項５２】
請求項５１記載の通信システムであって、更に、前記少なくとも１つの広帯域ルータと通信状態にあるネットワーク管理システムを備えており、前記ユーザ・アクティブ・ジャックの各々には、前記パッチ・パネルへの前記上流側接続部と、前記少なくとも１つのユーザ・デバイスへの前記下流側接続部との間の通信を可能化または不可能化するためのユーザ・アクティブ・ジャック・スイッチが設けられており、前記アクティブ・ジャックスイッチは、前記ネットワーク管理システムからの信号に応答して切り替わる、通信システム。
【請求項５３】
請求項５２記載の通信システムにおいて、前記ユーザ・アクティブ・ジャックの各々は、アクティブ・ジャック・ロジックと、アクティブ・ジャック・メモリとを備えており、前記アクティブ・ジャック・メモリは、アクティブ・ジャック識別情報を備えており、前記アクティブ・ジャック・ロジックは、前記識別情報を上流に向けて前記広帯域ルータに送ることにより前記ネットワーク管理システムからの問い合わせに応答する、通信システム。
【請求項５４】
請求項５２記載の通信システムにおいて、前記通信システムのユーザによる料金支払いに応答して、前記パッチ・パネルへの前記上流接続部と、前記少なくとも１つのユーザ・デバイスへの前記下流側接続との間の通信の可能化または不可能化を実行する、通信システム。
【請求項５５】
通信システムであって、
水平ケーブルを通じて少なくとも１つのネットワーキング・デバイスに接続する少なくとも１つのアクティブ・ジャックを備えており、該少なくとも１つのアクティブ・ジャックは、ネットワーク側接続部と、ユーザ側接続部と、前記アクティブ・ジャックに関連する識別情報を格納する記憶コンポーネントと、前記アクティブ・ジャックの接続ステータスを示す少なくとも１つのインディケータ・ライトとを備えており、前記アクティブ・ジャックは、更に、当該アクティブ・ジャックのユーザ側接続部において、少なくとも１つのユーザ・デバイスに接続するように構成されており、前記アクティブ・ジャックは、前記少なくとも１つのネットワーキング・デバイスに、前記少なくとも１つのユーザ・デバイスへのその接続部のステータスを報告することによって、前記ネットワーキング・デバイスと前記ユーザ・デバイスとの間の通信経路に沿って障害の区分化を可能にするように構成された、通信システム。
【請求項５６】
請求項５５記載の通信システムにおいて、前記ネットワーキング・デバイスは、パッチ・パネルである、通信システム。
【請求項５７】
請求項５５記載の通信システムにおいて、前記通信システムは、受電通信システムであり、前記アクティブ・ジャックは、前記水平ケーブルから、アクティブ・ジャック・コンポーネントの動作に必要な電力を消費し、前記ユーザ側接続部を介して未使用電力を送るように構成された、通信システム。